(57)【要約】【課題】補強金具内に配置されたスリーブをより確実に定位置に保持しておくことのできるような補助金具を提案する。【解決手段】金属棒体を折り曲げて環状筋Ｄ１，Ｄ２を形成すると共に、当該環状筋内に配置されるスリーブＳを支持するために該環状筋内方へ突出したスリーブ支持筋Ｄ３，Ｄ４を形成してなる鉄筋コンクリート有孔梁の補強金具Ｄに対し、組み合わせて使用する金属棒体からなるスリーブ固定補助金具であって、補強金具の環状筋に係止する係止手段１ａ，２ａを一端部に有し、該係止手段を環状筋に係止させた状態で他端部１ｂ，２ｂが環状筋内方へ突出することのできる少なくとも二つのスリーブ押え筋１，２と、これらスリーブ押え筋を所定の間隔で保持する連結筋３と、を含んで構成されることを特徴とする。【選択図】図４
2007162360.tif 000002
【特許請求の範囲】
【請求項１】
金属棒体を折り曲げて環状筋を形成すると共に、当該環状筋内に配置されるスリーブを支持するために該環状筋内方へ突出したスリーブ支持筋を形成してなる鉄筋コンクリート有孔梁の補強金具に対し、組み合わせて使用する金属棒体からなるスリーブ固定補助金具であって、
前記環状筋に係止する係止手段を一端部に有し、該係止手段を前記環状筋に係止させた状態で他端部が前記環状筋内方へ突出することのできる少なくとも二つのスリーブ押え筋と、これらスリーブ押え筋を所定の間隔で保持する連結筋と、を含んで構成されることを特徴とするスリーブ固定補助金具。
【請求項２】
前記スリーブ押え筋の係止手段は、該スリーブ押え筋の一端部に二股部を形成してなることを特徴とする請求項１記載のスリーブ固定補助金具。
【請求項３】
前記二股部は、鉤状筋を前記スリーブ押え筋の一端部に溶接して形成したものであることを特徴とする請求項２記載のスリーブ固定補助金具。
【請求項４】
１本の金属棒体を概略“コ”字状に折り曲げ、その両端部分を前記スリーブ押え筋とし且つ中間部分を前記連結筋として一体形成してあることを特徴とする請求項１〜３のいずれか１項に記載のスリーブ固定補助金具。
【発明の詳細な説明】
【技術分野】
【０００１】
本発明は、配管や配線等のための貫通孔を有する鉄筋コンクリートの有効梁において、その貫通孔周囲に配設される補強金具に関する。
【背景技術】
【０００２】
鉄筋コクリート有効梁については、その貫通孔周囲のひび割れを防止するための補強手段として、特許文献１，２に示すような補強金具（補強筋）を貫通孔周囲に配設するようにしている。すなわち、１以上の金属棒体を折り曲げて円形や多辺形等とした一重以上の環状筋を形成し、貫通孔形成部位の主筋に結束して配設するものである。
【０００３】
このような補強金具においては、貫通孔形成部位にセットした後に、貫通孔を形成するためのスリーブが環状筋内に配置されることになる（特許文献１の図２や特許文献２の図３参照）。そのスリーブ配置にあたって、スリーブを支持して所定の位置に保持するための支持手段が、補強金具に設けられている。この支持手段は、環状筋に交差して環状筋内方へ突出するようにしたスリーブ支持筋で、特許文献１の「支持棒３」のように別体の金属棒を溶接したものや、特許文献２の「スリーブ保持手段１ａ，１ｂ」のように環状筋をなす金属棒体の両端を折り曲げ形成してなるものがある。
【特許文献１】特開２００３−２０７５５号
【特許文献２】特開２００５−１８０１７５号
【発明の開示】
【発明が解決しようとする課題】
【０００４】
従来の工法では、上記のように補強金具の環状筋内に、スリーブ支持筋で位置決めしてスリーブを配置すると共に、針金（番線）をスリーブの胴囲に巻き付け、その端を主筋等に結束することで、コンクリート打設時にスリーブが動かないように固定している。しかし、コンクリート打設時の圧力や振動で針金が緩み、スリーブが位置ずれして後続の作業に影響してしまうことが少なからずある。位置ずれがあまり大きいと、補強金具に対するコンクリートの“かぶり”が保てず、極端な場合にはスリーブを取り去った後の貫通孔に補強金具が露出してしまうこともあって、改善の余地が存在している。
【０００５】
本発明はこのような背景に着目したもので、補強金具内に配置されたスリーブをより確実に定位置に保持しておくことのできるような補助金具を提案するものである。
【課題を解決するための手段】
【０００６】
本発明に係る補助金具は、金属棒体を折り曲げて環状筋を形成すると共に、当該環状筋内に配置されるスリーブを支持するために該環状筋内方へ突出したスリーブ支持筋を形成してなる鉄筋コンクリート有孔梁の補強金具に対し、組み合わせて使用する金属棒体からなるスリーブ固定補助金具であって、補強金具の環状筋に係止する係止手段を一端部に有し、該係止手段を環状筋に係止させた状態で他端部が環状筋内方へ突出することのできる少なくとも二つのスリーブ押え筋と、これらスリーブ押え筋を所定の間隔で保持する連結筋と、を含んで構成されることを特徴とする。
【発明の効果】
【０００７】
本発明のスリーブ固定補助金具によれば、貫通孔形成部位にセットした補強金具における環状筋へスリーブ押え筋の係止手段を係止させると、該スリーブ押え筋の他端部が環状筋内方へ突出し、スリーブ支持筋で支持したスリーブをさらに他方から押さえつけることができる。これにより、金属棒体からなる補強金具のスリーブ支持筋と同じく金属棒体からなる補助金具のスリーブ押え筋とで互いに反対側からスリーブを挟み込んで固定する状態を得られるので、従来工法の針金による固定などと違ってコンクリート打設時の圧力や振動にも耐えてスリーブの位置をより確実に定位置に保持し得る。
【発明を実施するための最良の形態】
【０００８】
図１及び図２に、本発明のスリーブ固定補助金具について第１、第２実施形態を示してある。
【０００９】
図１に示す第１実施形態は、２本のスリーブ押え筋１，２と連結筋３とを別体として溶接した例である。その施工例について、図３及び図４に示している。
【００１０】
スリーブ押え筋１，２は、それぞれ真っ直ぐな金属棒体からなり、その一端部に、係止手段として鉤状筋１ａ，２ａを外向き（図中上向き）に溶接した二股部が形成されている。また、他端部には、スリーブＳへの当接用に樹脂製の先端キャップ１ｂ，２ｂを嵌合し、紙製等のスリーブＳを突き破ったりするこの無いように配慮してある。
【００１１】
これらスリーブ押え筋１，２が、真っ直ぐな連結筋３に所定の間隔で溶接されている。２本のスリーブ押え筋１，２は、互いに平行ではなく、鉤状筋１ａ，２ａのある一端部からキャップ１ｂ，２ｂのある他端部へ向けて若干先細りとなるように角度をつけて溶接されている。このように互いに斜めにしておくことで、断面円形のスリーブＳに対するあたりが良くなる。場合によっては、スリーブ押え筋１，２の本数を増やすことも可能である。
【００１２】
図２に示す第２実施形態は、１本の金属棒体を折り曲げてスリーブ押え筋１０，１１及び連結筋１２を一体形成した例を示している。すなわち、１本の金属棒体を概略“コ”字状に折り曲げ、その折り曲げた両端部分を２本のスリーブ押え筋１０，１１とし、その間を結ぶ中間部分を連結筋１２としてある。
【００１３】
この第２実施形態の場合、スリーブ押え筋１０，１１の一端部は連結筋１２につながる曲折部位となるが、その各一端部に、第１実施形態と同じく鉤状筋１０ａ，１１ａが外向きに溶接されて係止手段の二股部が形成されている。さらに、該スリーブ押え筋１０，１１の他端部には、第１実施形態と同じく先端キャップ１０ｂ，１１ｂが嵌合されている。また、第１実施と同じく第２実施形態における２本のスリーブ押え筋１０，１１も、一端部から他端部へ向かって先細りとなるように折り曲げられている。
【００１４】
図３及び図４に第１実施形態の補助金具の例で示すように、スリーブ固定補助金具は、一例として特許文献１に開示されているような“一筆書き”の内外二重形補強金具Ｄにおける外側の環状筋Ｄ１に、係止手段である鉤状筋１ａ，２ａを係止させて使用される。鉤状筋１ａ，２ａを係止させると、スリーブ押え筋１，２の他端部が内外環状筋Ｄ１，Ｄ２と交差して内方へ突出し、キャップ１ｂ，２ｂの先端部がスリーブＳの外周面に当接可能となる。
【００１５】
主筋における貫通孔形成部位に補強金具Ｄをセットした状態で示す図４によれば、セット後の補強金具Ｄにおいて、先端に樹脂キャップを嵌めたスリーブ支持筋Ｄ３，Ｄ４にスリーブＳが下支えされ、環状筋Ｄ１，Ｄ２の内側に配置される。そして、当該補強金具Ｄにおける環状筋Ｄ１の上側部分へスリーブ押え筋１，２の鉤状筋１ａ，２ａを係止させると、他端部が環状筋Ｄ１，Ｄ２の内方へ突出してスリーブＳの外周面上側に当接し、該スリーブ押え筋１，２とスリーブ支持筋Ｄ３，Ｄ４とで互いに反対側、図示の例では上下から挟み込むようにして、上下４点支持により、スリーブＳが動かないように固定される。これにより、コンクリート打設時の圧力や振動にも耐え得る構造が得られる。
【００１６】
第１及び第２実施形態に係るスリーブ固定補助金具は、補強金具Ｄ及び主筋に結束してしっかりと固定される。したがって、場合によっては、鉤状筋１ａ，２ａ，１０ａ，１１ａを図１及び図２に示す外向きとは逆の内向き（図中下向き）に溶接してあっても良い。ただし、“突っ張り”の力を考えると、図示の上向とした鉤状筋の方が好ましい。
【００１７】
また、図３及び図４では、補強金具Ｄのスリーブ支持筋Ｄ３，Ｄ４によりスリーブＳを下から支える施工例を示しているが、これに限らず、スリーブ支持筋がスリーブの上方や左右に配置される場合もある。この場合も、補助金具のスリーブ押え筋を反対側に配置して、スリーブ支持筋とスリーブ押え筋とで挟み込んで支持することができる。
【図面の簡単な説明】
【００１８】
【図１】本発明に係るスリーブ固定補助金具の第１実施形態を示した斜視図。
【図２】本発明に係るスリーブ固定補助金具の第２実施形態を示した斜視図。
【図３】第１実施形態のスリーブ固定補助金具を補強金具に組み付けた状態を示す平面図。
【図４】第１実施形態のスリーブ固定補助金具及び補強金具を主筋に結束固定する状態を示した斜視図。
【符号の説明】
【００１９】
１，２，１０，１１  スリーブ押え筋
３，１２  連結筋
【図１】
2007162360.tif 000003
【図２】
2007162360.tif 000004
【図３】
2007162360.tif 000005
【図４】
2007162360.tif 000006